(57)【特許請求の範囲】
【請求項１】
撮影した画像情報を記憶するための着脱不可能な内蔵のコモンメモリと、
画像情報を記憶する着脱可能な外部記憶手段と、外部制御装置との接続ケーブルと、を共通に接続可能とする装着手段と、
前記装着手段の装着状態を判別して装着された媒体が前記外部記憶手段か前記接続ケーブルかを判別する装着判別手段と、を備えた電子スチルカメラにおいて、
前記コモンメモリは、前記外部記憶手段と同様のファイルシステムで記述され、
記録や再生に際して、前記装着判別手段により前記外部記憶手段の未装着が判別された場合、前記コモンメモリの画像情報の制御をし、
前記装着判別手段により前記外部記憶手段の装着が判別された場合、前記外部記憶手段のアクセスタイムやメモリ種別等のＲ／Ｗ条件である属性情報を取得し、該取得した該属性情報に基づき該外部記憶手段の画像情報を記録または再生する制御をし、
前記判別手段により前記接続ケーブルの装着が判別された場合、該外部制御装置に前記コモンメモリのアクセスタイムやメモリ種別等のＲ／Ｗ条件である属性情報を転送し、該転送した該属性情報に基づいて該外部制御装置による該コモンメモリの画像情報を記録または再生する制御がなされるようにしたことを特徴とする電子スチルカメラ。
【発明の詳細な説明】
【０００１】
【産業上の利用分野】
本発明は、ディジタル電子スチルカメラに関し、特にメモリカード等の記憶媒体または外部制御装置との接続ケーブルとが共通に接続可能な電子スチルカメラの構成に関する。
【０００２】
【従来の技術】
従来のカードを記録媒体に用い、カメラ本体内にはバッファメモリを備えた電子スチルカメラの構成の一例を図５に示す。また、図５のカメラに着脱するメモリカードの構成の一例を図６に示す。
【０００３】
図において、レンズ１により結像した被写体はＣＣＤ２により電気信号に変換され撮像信号３として信号処理回路４に入力される。信号処理回路４は撮像信号３より映像信号５を出力し、Ａ／Ｄ変換器６は映像信号５をディジタル信号に変換し、ディジタル信号はメモリコントローラー７に入力される。ユーザーは信号１６により記録／再生／消去を指定し、その信号がマイコン（ＣＰＵ）１９に入力される。マイコン１９は信号１６に基づいて制御信号バス２０によりメモリコントローラー７を制御する。マイコン１９はメモリコントローラー７に記録／再生／消去のいずれかの動作モードを伝える。
【０００４】
記録の場合には、メモリコントローラー７はＡ／Ｄ変換器６からのディジタル信号をバッファメモリ１１に記憶した後、メモリカードに記録する。
【０００５】
再生の場合には、メモリカードからのディジタル信号をバッファメモリ１１に記憶した後、ディジタル映像信号２４を出力する。
【０００６】
消去の場合にはメモリカードを消去する。
【０００７】
いずれの場合においても、メモリコントローラー７はバッファメモリ１１をアクセスする時には制御信号バス１０を介して動作モードをバッファメモリ１１に伝えた後、アドレスバス９を介してアドレスを指定しデータバス８を介してデータの入出力を行う。また、メモリコントローラー７はメモリカードをアクセスする時にはまず制御信号バス２３を介して動作モードをメモリカードに伝えた後、アドレスバス２２を介してアドレスを指定しデータバス２１を介してデータの入出力を行う。メモリコントローラー７から出力されるディジタル映像信号出力２４はＤ／Ａ変換器２５によりＤ／Ａ変換されアナログ映像信号２６として出力される。ＮＴＳＣエンコーダ２７はアナログ映像信号２６よりＮＴＳＣ信号を作成し、ＮＴＳＣビデオアウト信号２８を出力する。
【０００８】
カードインターフェイス２９はカメラ内部とはデータバス２１／アドレスバス２２／制御信号バス２３とを介して接続されており、メモリカードスロットル部とはデータバス３０／アドレスバス３１／制御信号バス３２とを介して接続されており、カメラ内部とメモリカードとの間のデータ形式の整合を取る。
【０００９】
つぎに、図６のメモリカードにおいて、データバス５０／アドレスバス５１／制御信号バス５２はメモリコントローラー５３に接続される。メモリコントローラー５３は記録／再生／消去いずれの場合においてもコモンメモリ６１をアクセスする時にはまずアトリビュートメモリ５７をアクセスし、コモンメモリ６１の属性情報（アクセスタイム、メモリ種別等のＲ／Ｗ条件）を検索した後、その属性情報に従ってコモンメモリ６１をアクセスする、コモンメモリ６１をアクセスするには制御信号バス６０を介して動作モードをコモンメモリに伝えた後、アドレスバス５９を介してアドレスを指定しデータバス５８を介してデータの入出力を行う、電源６２からの電源電圧６３は電源制御回路６４に入力される。電源制御回路６４は電源電圧６５、６６、６７を出力しそれぞれ５７、５３、６１に入力されＳＲＡＭ等のメモリバックアップとして作用する。
【００１０】
【発明が解決しようとする課題】
従来の技術においては、外部記憶媒体としてＰＣ（パソコン）等の外部制御機器に直結可能なＰＣカードを使用する事が多い。このＰＣカードとしてはＳＲＡＭカード、フラッシュメモリカード、1.8"ＨＤＤ等が実用化されている。
ＳＲＡＭカードの場合は、ＳＲＡＭチップ自体が小容量で且つ高価である。
【００１１】
フラッシュメモリカードの場合は、大容量化の可能性はあるものの、書き込み時間が遅く画像ファイルのような大容量のデータを高速に扱うためには、メモリ以外に制御回路が必要となり、結果としてフラッシュメモリカードを制御するためには全体の価格が上昇してしまうこととなる。
【００１２】
また、ＨＤＤ装置を外部記憶媒体として考えた場合も同様に、記憶媒体自体が高価なものとなってしまう。
【００１３】
【課題を解決するための手段】
本発明は、これらの課題を解決するために、撮影した画像情報を記憶するための着脱不可能な内蔵のコモンメモリと、画像情報を記憶する着脱可能な外部記憶手段と、外部制御装置との接続ケーブルと、を共通に接続可能とする装着手段と、前記装着手段の装着状態を判別して装着された媒体が前記外部記憶手段か前記接続ケーブルかを判別する装着判別手段と、を備えた電子スチルカメラにおいて、前記コモンメモリは、前記外部記憶手段と同様のファイルシステムで記述され、記録や再生に際して、前記装着判別手段により前記外部記憶手段の未装着が判別された場合、前記コモンメモリの画像情報の制御をし、前記装着判別手段により前記外部記憶手段の装着が判別された場合、前記外部記憶手段のアクセスタイムやメモリ種別等のＲ／Ｗ条件である属性情報を取得し、該取得した該属性情報に基づき該外部記憶手段の画像情報を記録または再生する制御をし、前記判別手段により前記接続ケーブルの装着が判別された場合、該外部制御装置に前記コモンメモリのアクセスタイムやメモリ種別等のＲ／Ｗ条件である属性情報を転送し、該転送した該属性情報に基づいて該外部制御装置による該コモンメモリの画像情報を記録または再生する制御がなされるようにしたことを特徴とする電子スチルカメラ。
【００１４】
【実施例】
以下、図面を用いて本発明の一実施例を説明する。図において同じ部位は同じ符号で示す。
図１は本発明の実施例である電子スチルカメラの具体的な構成ブロック図である。図において、１はレンズ、２はＣＣＤ等の撮像素子、３は撮像素子からの撮像信号、４は映像信号を作成する信号処理回路、５は信号処理回路４により得られる映像信号、６は映像信号５をディジタル信号に変換するＡ／Ｄ変換器、７はコモンメモリ１１の画像データの制御を行うメモリコントローラー、８はメモリコントローラー７とコモンメモリ１１との間のデータバス、９は同アドレスバス、１０は同制御信号バス、１１は複数枚分の画像データを記憶可能なコモンメモリ、１２はメモリコントローラー７とアトリビュートメモリ１５との間のデータバス、１３は同アドレスバス、１４は同制御信号バス、１５はコモンメモリ１１の属性情報（アクセスタイム、メモリ種別等のＲ／Ｗ条件）を記憶するアトリビュートメモリ、１６はユーザーがカメラの動作モードを指定する指定信号、１７は装着されているカードの種類を判別する装着判別手段、１８は判別手段１７からの判別信号、１９は指定信号１６と判別信号１８とに基づいてメモリコントローラー７を制御するマイコン、２０はマイコン１９とメモリコントローラー７との間の制御信号バス、２１はメモリコントローラー７とカードインターフェイス２９との間のデータバス、２２は同アドレスバス、２３は同制御信号バス、２４はディジタル映像信号、２５はＤ／Ａ変換器、２６はアナログ映像信号、２７はＮＴＳＣ信号を作成するＮＴＳＣエンコーダ、２８はＮＴＳＣビデオアウト信号、２９はカメラ内部のバスと装着されているカードのバスとの整合を取るカードインターフェイス、３０はスロットル部のデータバス、３１は同アドレスバス、３２は同制御信号バスである。
【００１５】
また、図２は図１のカメラに脱着可能なメモリカードの構成図であり、図６の従来のメモリカードにカードの判別ツメ６８が追加されたものである。図において、５０はメモリカード側データバス、５１は同アドレスバス、５２は同制御信号バス、５３はコモンメモリ６１の画像データを制御するメモリコントローラー、５４はメモリコントローラー５３とアトリビュートメモリ５７との間のデータバス、５５は同アドレスバス、５６は同制御信号バス、５７はコモンメモリ６１の属性情報（アクセスタイム、メモリ種別等のＲ／Ｗ条件）を記憶するアトリビュートメモリ、５８はメモリコントローラー５３とコモンメモリ６１との間のデータバス、５９は同アドレスバス、６０は同制御信号バス、６１は複数枚分の画像データを記憶可能なコモンメモリ、６２は電源、６３は電源電圧、６４は電源制御回路、６５、６６、６７は電源制御回路６４からの電源電圧、６８はこのカードはメモリカードであるという事をカメラ側が判別するためのツメ、６９は５０〜６８のデバイスおよび信号線を格納するケースである。
【００１６】
また、図３は図１の電子スチルカメラに装着可能な接続ケーブルと外部制御機器との接続構成図である。図において、１００は接続ケーブル側データバス、１０１は同アドレスバス、１０２は同制御信号バス、１２０はデータバス１００をスルーで外部出力した信号線、１２１はアドレスバス１０１をスルーで外部出力した信号線、１２２は制御信号バス１０２をスルーで外部出力した信号線、１１８はこのカードは接続ケーブルであるという事をカメラ側が判別するためのツメ、１１９は１００〜１２２のデバイスおよび信号線を格納するケース、１２３はパソコンなどの外部制御機器である。
【００１７】
以上のように構成された電子スチルカメラについて、以下その動作について説明する。
レンズ１により結像した被写体はＣＣＤ２により電気信号に変換され撮像信号３として信号処理回路４に入力される。信号処理回路４は撮像信号３より映像信号５を出力し、Ａ／Ｄ変換器６は映像信号５をディジタル信号に変換し、ディジタル信号はメモリコントローラー７に入力される。ユーザーは信号１６により記録／再生／消去を指定し、その信号がマイコン１９に入力される。装着判別手段１７はカードの種類を判別し判別信号１８を出力しマイコン１９にカードの種類を伝える。
【００１８】
メモリカード装着時、メモリコントローラー７はメモリカードをアクセスする時には記録／再生／消去いずれの場合においてもまず制御信号バス２３を介して動作モードをメモリカードに伝えた後、アドレスバス２２を介してアドレスを指定しデータバス２１を介してデータの入出力を行い、画像の記録／再生／消去をメモリカード内のコモンメモリを通して制御する。
【００１９】
メモリカード未装着時は、画像の記録／再生／消去をカメラ内コモンメモリを通して制御する。コモンメモリ１１をアクセスするには制御信号バス１０を介して動作モードをコモンメモリに伝えた後、アドレスバス９を介してアドレスを指定しデータバス８を介してデータの入出力を行う。ここでカメラ内コモンメモリ１１はメモリカード内のコモンメモリと同様の通常ＤＯＳ  ＦＡＴファイルシステムで記述されるように構成される。
【００２０】
接続ケーブル装着時、メモリコントローラー７は接続ケーブルが装着されている時には外部制御機器からの制御信号／アドレス信号に従い動作し、データバスを介してデータの入出力を行う。メモリコントローラー７はコモンメモリ１１をアクセスする時にはまずアトリビュートメモリ１５をアクセスしコモンメモリ１１の属性情報（アクセスタイム、メモリ種別等のＲ／Ｗ条件）を外部制御機器に転送した後、その属性情報に従ってコモンメモリ１１が外部制御機器からアクセスされ、接続ケーブル装着時はＤＯＳ  ＦＡＴファイルシステムで記述された内蔵コモンメモリに対して外部制御機器からアクセスされるように構成される。
【００２１】
アナログビデオ信号を出力するには、メモリコントローラー７から出力されるディジタル映像信号出力２４はＤ／Ａ変換器２５によりＤ／Ａ変換されアナログ映像信号２６として出力される。ＮＴＳＣエンコーダ２７はアナログ映像信号２６よりＮＴＳＣ信号を作成し、ＮＴＳＣビデオアウト信号２８を出力する。カードインターフェイス２９はカメラ内部とはデータバス２１／アドレスバス２２／制御信号バス２３とを介して接続されており、スロットル部とはデータバス３０／アドレスバス３１／制御信号バス３２とを介して接続されており、カメラ内部とスロットル装着部材との間のデータ形式の整合を取る。
【００２２】
メモリカード装着時、カメラスロットル部を通して以下のように制御される。メモリカード内のデータバス５０／アドレスバス５１／制御信号バス５２はメモリコントローラー５３に接続される。メモリコントローラー５３はコモンメモリ６１をアクセスする時には記録／再生／消去いずれの場合においてもまずアトリビュートメモリ５７をアクセスしコモンメモリ６１の属性情報（アクセスタイム、メモリ種別等のＲ／Ｗ条件）をカメラ本体側に転送した後、その属性情報に従ってコモンメモリ６１がカメラ本体側からアクセスされる。コモンメモリ６１をアクセスするには制御信号バス６０を介して動作モードをコモンメモリに伝えた後、アドレスバス５９を介してアドレスを指定しデータバス５８を介してデータの入出力を行う。
【００２３】
ここで、メモリカード内のコモンメモリ６１は通常ＤＯＳ  ＦＡＴファイルシステムで記述され，図４に示されるようにセクタ０から順にシステム予約領域、ＦＡＴ、ディレクトリ、データ領域から構成される。カメラＣＰＵ１６はディレクトリとＦＡＴを管理しながらコモンメモリ６１へのリード／ライト制御をメモリコントローラー７，５３を通して行う。電源６２からの電源電圧６３は電源制御回路６４に入力される。電源制御回路６４は電源電圧６５、６６、６７を出力しそれらはそれぞれ５７、５３、６１に入力されＳＲＡＭ等のメモリバックアップとして作用する。
【００２４】
接続ケーブル装着時には、接続ケーブル内のデータバス１００／アドレスバス１０１／制御信号バス１０２は接続ケーブルのケース１１９の内部をいかなる信号処理も受けずにそのままスルーでデータバス１２０／アドレスバス１２１／制御信号バス１２２として外部に出力される。外部出力されたバス１２０／１２１／１２２はパソコンなどの外部制御機器１２３と接続されている。
【００２５】
本実施例では装着判別手段１７は、例えばカメラのスロットル部に機械的スイッチが２つあり一方をＡ、他方をＢとした場合、メモリカードが装着された時にはツメ６８に反応しＡ＝ＯＮ、Ｂ＝ＯＦＦとなり、接続ケーブルが装着された時にはツメ１１８に反応しＡ＝ＯＦＦ、Ｂ＝ＯＮとなるように構成し、そしてこの２つのスイッチからの電気的信号がマイコン１９に入力されるような構成を採用する。
【００２６】
以上のような動作を行う事により、メモリカード装着時にはカメラ内マイコンから出力される制御信号に従ってメモリカード内のコモンメモリへデータをアクセスし、接続ケーブル装着時には外部装置から出力される制御信号に従ってカメラ内のコモンメモリへデータをアクセスする映像装置を実現できる。
【００２７】
また接続ケーブル装着時には外部制御機器はカメラ内コモンメモリ１１に対し画像データの書込／読出／消去いずれの事も行う事ができ、さらにディジタル画像データをディジタル映像信号出力２４を介してＮＴＳＣビデオアウト信号として出力する事も可能である。
【００２８】
また本実施例においてはコモンメモリ１１とその属性情報（アクセスタイム、メモリ種別等のＲ／Ｗ条件）を記憶するアトリビュートメモリ１５とを２つに分けているがこれを１つのメモリとして同様の機能を持たせる事も可能である。
【００２９】
また本実施例ではコモンメモリのファイル管理としてＤＯＳ  ＦＡＴファイルシステムで記述しているが他の共通管理システムを用いても構わない。
【００３０】
【発明の効果】
以上のように本発明によれば、カード型記憶媒体を使用可能で、且つ、内蔵された画像記憶手段をカード型記憶媒体と同様に扱う（すなわち、ＰＣ等の外部制御機器からみると、あたかも電子スチルカメラ自体が安価なメモリカード型記憶媒体として動作する）事が可能となり、ユーザーは、自分の目的に応じた記憶媒体を選択可能となる。
【００３１】
また、比較的少ない記録枚数で良い場合には、カメラに内蔵された安価な記憶媒体のみで充分であり、撮影後、カメラ内部の画像データを、ＰＣカードインターフェースを通してＰＣ等の外部制御機器に転送すれば良い。
【００３２】
また、記録枚数の多い撮影の場合には、フラッシュメモリカード、ＨＤＤ等の大容量記憶が可能なＰＣカードに画像を記録させ、撮影後は、ＰＣカードを直接ＰＣ等の外部制御機器に装着し、画像データの転送を行う事が可能となる。
【００３３】
またＰＣ等の外部制御機器で加工した画像データを、直接、カメラに内蔵された記憶手段に転送し、ＴＶ上で見る事も可能となる。
【図面の簡単な説明】
【図１】本発明の実施例である電子スチルカメラの構成ブロック図である。
【図２】図１の電子スチルカメラに装着可能なメモリカードの構成ブロック図である。
【図３】図１の電子スチルカメラに装着可能な接続ケーブルと外部制御機器との接続構成図である。
【図４】本発明の実施例におけるＤＯＳ  ＦＡＴファイルシステムである。
【図５】従来の電子スチルカメラの構成ブロック図の一例である。
【図６】図１の電子スチルカメラに装着可能なメモリカードの構成ブロック図である。
【符号の説明】
１  レンズ                      ２  撮像素子
３  撮像信号                    ４  信号処理回路
５  映像信号                    ６  Ａ／Ｄ変換器
７  メモリコントローラー
８、１２、２１、３０、５０、５４、５８、１００  データバス
９、１３、２２、３１、５１、５５、５９、１０１  アドレスバス
１０、１４、２３、３２、５２、５６、６０、１０２  制御信号バス
１１、６１  コモンメモリ      １５、５７  アトリビュートメモリ
１６  ユーザーの指定信号        １７  装着判別手段
１８  判別信号                  １９  マイコン（ＣＰＵ）
２４  ディジタル映像信号        ２５  Ｄ／Ａ変換器
２６  アナログ映像信号          ２７  ＮＴＳＣエンコーダ
２８  ＮＴＳＣビデオアウト信号  ２９  カードインターフェイス
５３  メモリコントローラー      ６２  電源
６３  電源電圧                  ６４  電源制御回路
６５、６６、６７  電源電圧      ６８  カード判別ツメ
６９  ケース                  １２０、１２１、１２２
１１８  接続ケーブ判別ツメ      １１９  ケース
１２３  外部制御機器
【図１】
0003774239.tif 000002
【図２】
0003774239.tif 000003
【図３】
0003774239.tif 000004
【図４】
0003774239.tif 000005
【図５】
0003774239.tif 000006
【図６】
0003774239.tif 000007